(57)【要約】【課題】  軌道点検作業員の作業状況を監視する。【解決手段】  鉄道車両が運行する軌道Ｒの点検作業を行う軌道点検作業員Ｋを監視する軌道点検作業員監視装置１であって、  上記軌道Ｒの検査箇所２７に設置され、該検査箇所２７の識別情報を出力する無線ＩＣタグ３と、  上記検査箇所２７の通信エリア２５に位置する場合に、上記無線ＩＣタグ３から出力された上記識別情報を入力する携帯監視装置５の無線ＩＣタグ読込装置６５と、  上記軌道点検作業員Ｋによる点検作業の打音検査の音を検出し、記憶する上記携帯監視装置５のマイク６７と、バンドパスフィルタ６９と、メモリーカード６１とを備えることを特徴とする軌道点検作業員監視装置１。【選択図】  図１
2006273265.tif 000002
【特許請求の範囲】
【請求項１】
車両が運行する軌道の点検作業を行う軌道点検作業員を監視する軌道点検作業員監視装置であって、
上記軌道の点検箇所に設置され、該点検箇所の識別情報を出力する点検箇所識別情報出力手段と、
上記点検箇所に位置する場合に、上記点検箇所識別情報出力手段から出力された上記識別情報を入力する点検箇所識別情報入力手段と、
上記軌道点検作業員による点検作業の作業音を検出する点検作業音検出手段と、
上記点検箇所識別情報入力手段が入力した上記識別情報と、上記点検作業音検出手段が検出した上記点検作業音とを記憶する点検作業音記憶手段と
を備えることを特徴とする軌道点検作業員監視装置。
【請求項２】
上記点検箇所識別情報入力手段が入力した上記識別情報と、上記点検作業音検出手段が検出した上記点検作業音とを無線送信する点検作業音無線送信手段と、
上記点検作業音無線送信手段から無線送信された上記識別情報と、上記点検作業音とを受信する点検作業音無線受信手段とを加えたことを特徴とする請求項１に記載の軌道点検作業員監視装置。
【請求項３】
上記点検作業音無線受信手段が受信した上記識別情報と、上記点検作業音とを記憶する点検作業音受信記憶手段を加えたことを特徴とする請求項２に記載の軌道点検作業員監視装置。
【請求項４】
上記点検作業音記憶手段を、上記点検箇所識別情報入力手段が入力した上記識別情報と、上記点検作業音検出手段が検出した上記点検作業音と、時刻の情報とを記憶するとしたことを特徴とする請求項１ないし請求項３の何れかに記載の軌道点検作業員監視装置。
【請求項５】
上記点検作業音受信記憶手段を、上記点検作業音無線受信手段が受信した上記識別情報と、上記点検作業音と、時刻の情報とを記憶するとしたことを特徴とする請求項３、又は請求項４に記載の軌道点検作業員監視装置。
【請求項６】
上記点検作業音無線受信手段が受信した上記点検作業音から特定の周波数成分を抽出する狭帯域通過フィルタを備えることを特徴とする請求項２ないし請求項５の何れかに記載の軌道点検作業員監視装置。
【請求項７】
上記点検作業音検出手段が検出した上記点検作業音から該点検作業音特有の周波数帯域以外を遮断する点検作業音帯域通過フィルタを加え、
上記点検作業音記憶手段を、上記点検箇所識別情報入力手段が入力した上記識別情報と、上記点検作業音検出手段が検出し、上記点検作業音帯域通過フィルタを通過した上記点検作業音とを記憶するとしたことを特徴とする請求項１ないし請求項６の何れかに記載の軌道点検作業員監視装置。
【請求項８】
上記点検箇所識別情報出力手段が電磁波によって識別情報を出力する無線ＩＣタグであり、
上記点検箇所識別情報入力手段が上記無線ＩＣタグの読み取り器を備えることを特徴とする請求項１ないし請求項７の何れかに記載の軌道点検作業員監視装置。
【発明の詳細な説明】
【技術分野】
【０００１】
本発明は、電車や気動車、列車などの車両が運行する軌道の点検作業を行う軌道点検作業員を監視する装置に関する。
【背景技術】
【０００２】
従来、鉄道車両が運行する軌道、例えば鉄道線路は、列車加重が繰り返し加えられることから、軌道の変位、摩耗、損傷等の劣化や、軌道にボルトなどで締結されている鉄道機器の緩みや脱落と言った異常状態が発生しやすく、これらを放置することは、列車の安全運行上許されることはない。
【０００３】
このため、軌道の点検作業が定期的に行われ、軌道の劣化の発見や鉄道機器の緩みなどの発見及び保全作業が軌道の全域に渡って行われている。
この様な点検作業では、目視による点検作業やハンマを検査対象に打ち付けて、そのときの打音の変化によって、締結部の緩みや損傷、部材のひび割れなどの有無を判断する打音検査が慣用されている。
【０００４】
この様な軌道点検作業では、打音検査が、慣用されているが、この打音検査は、軌道点検作業員による人力と、軌道点検作業員の経験や技能に多くを依存し、軌道点検作業員の体調や状態によって、検査精度や検査品質が大きく影響されることが考えられる。
【０００５】
このため、軌道点検作業員に頼ることなく打音検査の判定をコンピュータに実行させる技術（特許文献３参照。）や維持保守サービスを一元管理することで点検忘れを防止する技術（特許文献１参照）、或いは軌道点検作業員の安全を守る技術（特許文献２参照）が開示されている。
【特許文献１】特開２００２−３３４１６７号公報
【特許文献２】特開２００１−１９１９２１号公報
【特許文献３】特開平１０−３００７３０号公報
【発明の開示】
【発明が解決しようとする課題】
【０００６】
しかしながら、打音検査によって検査される鉄道部品の締結箇所などは、オンライン接続が可能なコンピュータや電子装置ではなく、金属やコンクリートなどの部材であり、しかも検査箇所が、軌道の全域に渡って膨大な数であるため、人力に頼る検査に漏れがなく、且つ高い技能を必要とする検査が、誤りがなく実施されているかを調べる方法がなかった。
【０００７】
又、その点検の結果、見つかった異常な箇所を特定し、記録しておくことも手間が掛かり、作業現場で行うことは現実的ではなかった。
その上、過去に見つけた異常な箇所を、適正な状態に戻す保全作業を行ったか否かの記録を残すことも手間が掛かり、その後の経過を監視することも手間が掛かり、現実的ではなかった。
【０００８】
従って、従来、軌道点検作業員による点検作業が点検漏れなく、かつ点検誤りもなく、適切に実行されていることを保証する手段はなく、しかも、その点検の結果を保全作業に結びつけて、漏れがなく、且つ適切な保全作業の実行が確保されるようにすることも難しかった。
【０００９】
そこで、本発明は、軌道点検作業員による点検作業が点検漏れなく、かつ点検誤りもなく、適切に実行されていることを調べ、保証することを可能にする技術の提供と、その点検の結果実行される保全作業の有無や経過を監視することを可能にする技術の提供とを目的とする。
【課題を解決するための手段】
【００１０】
請求項１の発明の軌道点検作業員監視装置は、車両が運行する軌道の点検作業を行う軌道点検作業員を監視する軌道点検作業員監視装置であって、上記軌道の点検箇所に設置され、該点検箇所の識別情報を出力する点検箇所識別情報出力手段と、上記点検箇所に位置する場合に、上記点検箇所識別情報出力手段から出力された上記識別情報を入力する点検箇所識別情報入力手段と、上記軌道点検作業員による点検作業の作業音を検出する点検作業音検出手段と、上記点検箇所識別情報入力手段が入力した上記識別情報と、上記点検作業音検出手段が検出した上記点検作業音とを記憶する点検作業音記憶手段とを備えることを要旨とする。
【００１１】
これにより、請求項１の軌道点検作業員監視装置は、軌道点検作業員が点検箇所識別情報入力手段を所持して、車両が運行する軌道の点検作業を行うだけで、以下の処理を実行する。
【００１２】
つまり、軌道点検作業員が軌道の点検箇所に行って、例えば、打音検査などを行うが、その場合に、軌道点検作業員が点検箇所に近づくと、この点検箇所に設置された点検箇所識別情報出力手段によって出力された点検箇所の識別情報が点検箇所識別情報入力手段によって入力される。
【００１３】
又、点検作業音検出手段が軌道点検作業員による点検作業の作業音を検出する。
そして、点検作業音記憶手段が点検箇所識別情報入力手段によって入力された識別情報と、点検作業音検出手段によって検出された点検作業音とを記憶する。
【００１４】
以上の識別情報の入力と、点検作業音の検出と、それらの記憶とが、点検箇所識別情報出力手段の設置してある点検箇所毎に実行される。
従って、予め点検箇所として決めておいた点検箇所に居ることを特定する識別情報と、その点検時の点検の状態の確認が可能な点検作業音とを点検記録として記録し残すことが可能になる。
【００１５】
請求項２の発明の軌道点検作業員監視装置は、上記点検箇所識別情報入力手段が入力した上記識別情報と、上記点検作業音検出手段が検出した上記点検作業音とを無線送信する点検作業音無線送信手段と、上記点検作業音無線送信手段から無線送信された上記識別情報と、上記点検作業音とを受信する点検作業音無線受信手段とを加えたことを特徴とする請求項１に記載の軌道点検作業員監視装置を要旨とする。
【００１６】
これにより、請求項２の軌道点検作業員監視装置は、請求項１と同様の作用を有することに加え、点検作業音無線送信手段によって点検箇所識別情報入力手段が入力した識別情報と、点検作業音検出手段が検出した点検作業音とが無線送信され、その無線送信が点検作業音無線受信手段によって受信される。
【００１７】
従って、予め点検箇所として決めておいた点検箇所に居ることを特定する識別情報と、その点検時の点検の状態の確認が可能な点検作業音とを無線通信によって伝送し、参照することが可能になる。例えば、軌道点検作業員を監視する基地などで、その識別情報と、点検作業音とをモニタし、労務管理に役立たせたり、点検作業の品質向上に役立たせたりする用途が可能になる。
【００１８】
尚、請求項２の構成の場合には、点検作業音記憶手段は、識別情報と、点検作業音とを無線通信によって伝送が行われるまで、一時的に記憶するだけでも良い。この様にすると、記憶容量の低減を図ることが可能になる。
【００１９】
請求項３の発明の軌道点検作業員監視装置は、上記点検作業音無線受信手段が受信した上記識別情報と、上記点検作業音とを記憶する点検作業音受信記憶手段を加えたことを特徴とする請求項２に記載の軌道点検作業員監視装置を要旨とする。
【００２０】
これにより、請求項３の軌道点検作業員監視装置は、請求項２と同様の作用を有することに加え、点検作業音受信記憶手段によって、点検作業音無線受信手段が受信した識別情報と、点検作業音とを記憶することが可能になる。
【００２１】
従って、予め点検箇所として決めておいた点検箇所に居ることを特定する識別情報と、その点検時の点検の状態の確認が可能な点検作業音とを無線通信によって伝送し、記録することが可能になる。例えば、軌道点検作業員を監視する基地などで、その識別情報と、点検作業音とをモニタすると共に、記録し、リアルタイムで、検査作業に助言を与えたり、記録したデータを分析して、労務管理に役立たせたり、点検作業の品質向上に役立たせたりする用途が可能になる。
【００２２】
請求項４の発明の軌道点検作業員監視装置は、上記点検作業音記憶手段を、上記点検箇所識別情報入力手段が入力した上記識別情報と、上記点検作業音検出手段が検出した上記点検作業音と、時刻の情報とを記憶するとしたことを特徴とする請求項１ないし請求項３の何れかに記載の軌道点検作業員監視装置を要旨とする。
【００２３】
これにより、請求項４の軌道点検作業員監視装置は、請求項１ないし請求項３の何れかと同様の作用を有することに加え、点検作業音記憶手段によって、点検箇所識別情報入力手段が入力した識別情報と、点検作業音検出手段が検出した点検作業音と、時刻の情報とが記憶されることから、予め点検箇所として決めておいた点検箇所に居ることを特定する識別情報と、その点検時の点検の状態の確認が可能な点検作業音と、これら識別情報の入力時や点検作業音の検出時を推測することが可能な時刻とを点検記録として記録し残すことが可能になる。
【００２４】
請求項５の発明の軌道点検作業員監視装置は、上記点検作業音受信記憶手段を、上記点検作業音無線受信手段が受信した上記識別情報と、上記点検作業音と、時刻の情報とを記憶するとしたことを特徴とする請求項３、又は請求項４に記載の軌道点検作業員監視装置を要旨とする。
【００２５】
これにより、請求項５の軌道点検作業員監視装置は、請求項３、又は請求項４と同様の作用を有することに加え、点検作業音受信記憶手段によって、点検作業音無線受信手段が受信した識別情報と、点検作業音と、時刻の情報とが記憶されることから、予め点検箇所として決めておいた点検箇所に居ることを特定する識別情報と、その点検時の点検の状態の確認が可能な点検作業音と、これら識別情報の入力時や点検作業音の検出時を推測することが可能な時刻とを無線通信によって伝送し、点検記録として記録し残すことが可能になる。或いは、識別情報の入力時や点検作業音の検出時を推測することが可能な時刻を、無線通信によって受信した識別情報と、点検作業音とに付加して、記録することが可能になる。
【００２６】
請求項６の発明の軌道点検作業員監視装置は、上記点検作業音無線受信手段が受信した上記点検作業音から特定の周波数成分を抽出する狭帯域通過フィルタを備えることを特徴とする請求項２ないし請求項５の何れかに記載の軌道点検作業員監視装置を要旨とする。
【００２７】
これにより、請求項６の軌道点検作業員監視装置は、請求項２ないし請求項５の何れかと同様の作用を有することに加え、狭帯域通過フィルタによって、点検作業音無線受信手段が受信した点検作業音から特定の周波数成分を抽出することが可能になる。
【００２８】
例えば、ボルトが緩んでいる場合にだけ発生する低音成分を通過させる狭帯域通過フィルタを利用して、ボルトの緩みを機械的に判断すると行った使用方法が可能になる。
請求項７の発明の軌道点検作業員監視装置は、上記点検作業音検出手段が検出した上記点検作業音から該点検作業音特有の周波数帯域以外を遮断する点検作業音帯域通過フィルタを加え、上記点検作業音記憶手段を、上記点検箇所識別情報入力手段が入力した上記識別情報と、上記点検作業音検出手段が検出し、上記点検作業音帯域通過フィルタを通過した上記点検作業音とを記憶するとしたことを特徴とする請求項１ないし請求項６の何れかに記載の軌道点検作業員監視装置を要旨とする。
【００２９】
これにより、請求項７の軌道点検作業員監視装置は、請求項１ないし請求項６の何れかと同様の作用を有することに加え、点検作業音帯域通過フィルタによって、点検作業音検出手段が検出した点検作業音からこの点検作業音特有の周波数帯域以外が遮断されて、除かれ、点検作業音記憶手段によって、記憶される。
【００３０】
つまり、点検作業音以外のノイズ分が除かれて、記憶される。
請求項８の発明の軌道点検作業員監視装置は、上記点検箇所識別情報出力手段が電磁波によって識別情報を出力する無線ＩＣタグであり、
上記点検箇所識別情報入力手段が上記無線ＩＣタグの読み取り器を備えることを特徴とする請求項１ないし請求項７の何れかに記載の軌道点検作業員監視装置を要旨とする。
【００３１】
これにより、請求項８の軌道点検作業員監視装置は、請求項１ないし請求項７の何れかと同様の作用が、点検箇所に設置された無線ＩＣタグから電磁波によって出力された識別情報を、無線ＩＣタグの読み取り器によって受信することで、得られる。
【発明の効果】
【００３２】
請求項１の軌道点検作業員監視装置は、予め点検箇所として決めておいた点検箇所に居ることを特定する識別情報と、その点検時の点検の状態の確認が可能な点検作業音とを点検記録として記録し残すことが可能になることから、軌道点検作業員による点検作業が点検漏れなく、かつ点検誤りもなく、適切に実行されていることを調べ、保証することが可能になって軌道点検作業品質を向上することが出来るという極めて優れた効果を奏する。
【００３３】
しかも、その点検の結果を、保全作業の有無や経過を監視するための、基本データとして活用することが可能になって、保全作業の品質向上を図ることが可能になると言う極めて優れた効果を奏する。
【００３４】
請求項２の軌道点検作業員監視装置は、請求項１と同様の効果が得られることに加え、予め点検箇所として決めておいた点検箇所に居ることを特定する識別情報と、その点検時の点検の状態の確認が可能な点検作業音とを無線通信によって伝送し、参照することが可能になることから、例えば、軌道点検作業員を監視する基地などで、その識別情報と、点検作業音とをリアルタイムで、モニタし、点検作業に助言を与えたり、労務管理に役立たせたり、点検作業の品質向上に役立たせたりする用途が可能になるという極めて優れた効果を奏する。
【００３５】
請求項３の軌道点検作業員監視装置は、請求項２と同様の効果が得られることに加え、予め点検箇所として決めておいた点検箇所に居ることを特定する識別情報と、その点検時の点検の状態の確認が可能な点検作業音とを無線通信によって伝送し、記録することが可能になることから、例えば、軌道点検作業員を監視する基地などで、その識別情報と、点検作業音とをモニタすると共に、記録し、リアルタイムで、検査作業に助言を与えたり、記録したデータを分析して、労務管理に役立たせたり、点検作業の品質向上に役立たせたりする用途が可能になるという極めて優れ効果を奏する。
【００３６】
請求項４の軌道点検作業員監視装置は、請求項１ないし請求項３の何れかと同様の効果が得られることに加え、予め点検箇所として決めておいた点検箇所に居ることを特定する識別情報と、その点検時の点検の状態の確認が可能な点検作業音と、これら識別情報の入力時や点検作業音の検出時を推測することが可能な時刻とを点検記録として記録し残すことが可能になることから、例えば、作業能率の判断に利用して、労務管理により役立たせることが可能になるという効果を奏する。
【００３７】
請求項５の軌道点検作業員監視装置は、請求項３、又は請求項４と同様の効果を有することに加え、予め点検箇所として決めておいた点検箇所に居ることを特定する識別情報と、その点検時の点検の状態の確認が可能な点検作業音と、これら識別情報の入力時や点検作業音の検出時を推測することが可能な時刻とを無線通信によって伝送し、点検記録として記録し残すこと、或いは、識別情報の入力時や点検作業音の検出時を推測することが可能な時刻を、無線通信によって受信した識別情報と、点検作業音とに付加して、記録することが可能になることから、例えば、リアルタイムで、作業の迅速化を指示したり、後日、作業能率の判断に利用して、労務管理により役立たせることが可能になるという効果を奏する。
【００３８】
請求項６の軌道点検作業員監視装置は、請求項２ないし請求項５の何れかと同様の効果が得られることに加え、例えば、ボルトが緩んでいる場合にだけ発生する周波数成分だけを通過させる狭帯域通過フィルタを利用して、ボルトの緩みを機械的に判断すると行った使用方法が可能になり、軌道点検作業員の点検を補うことが可能になって、点検の品質が向上されるという効果を奏する。
【００３９】
請求項７の軌道点検作業員監視装置は、請求項１ないし請求項６の何れかと同様の作用を有することに加え、点検作業音以外のノイズ分が除かれて、記憶されることから、記憶容量を有効に活用して、多くの点検箇所の点検作業音の記憶が可能になるという効果を奏する。
【００４０】
請求項８の軌道点検作業員監視装置は、請求項１ないし請求項７の何れかと同様の効果が、点検箇所に設置された無線ＩＣタグから電磁波によって出力された識別情報を、無線ＩＣタグの読み取り器によって受信することで、得られることから、例えば、点検箇所に、安価で、小型で、耐候性が高く、内蔵電池も必要なく、しかも数メートル程度の範囲まで利用可能な、パッシブ型のＵＨＦ帯の無線ＩＣタグを利用することが可能になり、膨大な数で、かつ厳しい自然環境の点検箇所の全てから、点検箇所を示す識別信号を出力させることが可能になるという効果を奏する。
【発明を実施するための最良の形態】
【００４１】
次に発明の実施の形態を説明する。
図１は、軌道点検作業員監視装置１の使用状態の説明図、図２は、軌道点検作業員監視装置１の無線ＩＣタグ３の設置状態の説明図、図３は、携帯監視装置５のブロック図、図４は、基地監視装置７のブロック図である。
【００４２】
軌道点検作業員監視装置１は、図１に示すような、軌道Ｒの点検箇所、例えば、レール９や枕木１１等で構成される線路１３と、鉄道機器、例えば線路１３の分岐機１７や転轍機１９がボルト１５で締結されている箇所の点検が適切に実行されているかを監視する装置である。
【００４３】
この様な軌道Ｒの点検箇所では、軌道点検作業員Ｋがハンマ２１で、鉄道機器の部材などを叩き、そのときに生じる打音検査の音が適切な場合の音響であるか、或いは適切な場合の音響とは違っているかなどの音響の変化状態に基づき、経験やトレーニングに基づく技能によって、点検作業を行っている。尚、軌道Ｒの点検箇所は、この様な箇所に限定されるものではなく、軌道Ｒの適正な維持を図るために、軌道点検作業員Ｋが定期的に、点検に訪れ、打音検査を行う場所であれば、全ての箇所が該当する。例えば、鉄道機器を固定する箇所や軌道Ｒを支持するコンクリート構造物、或いはトンネルなどの剥離の虞のある箇所なども該当する。これらは、軌道点検作業によって、適宜設定される事項である。
【００４４】
軌道点検作業員監視装置１は、図１に示すように、ＵＨＦ帯のパッシブ型の無線ＩＣタグ３を軌道Ｒの点検箇所に設置する。
このパッシブ型の無線ＩＣタグ３は、８６０ＭＨｚ〜９６０ＭＨｚのＵＨＦ帯の電磁波を利用するパッシブ型、つまり外部から電波を受信して、その電波をエネルギにして、識別番号などの情報を送信する型式の無線ＩＣタグ３である。このパッシブ型の無線ＩＣタグ３は、数メートの範囲を通信エリアとすることが可能であり、しかも電池を内蔵しないことから、メンテナンスフリーの特徴を有する。つまり、広い範囲を通信エリアにすることが可能であることから、設置個数を少なくすることが出来、かつ安価に入手することが可能であることから、多くの箇所に設置することが可能になる。
【００４５】
尚、本発明は、パッシブ型に限定されるものではなく、アクティブ型でも使用可能である。又、ＵＨＦ帯に限定されるものではなく、他の周波数帯域を利用するものも使用可能である。これらは、利用環境や法規制などに応じて、適宜決定する設計事項である。
【００４６】
この様に軌道Ｒの点検箇所に設置されるパッシブ型の無線ＩＣタグ３は、図３に示す携帯監視装置５と組み合わされることで、図２に示すように、線路１３の分岐機１７やその他の検査対象機器２３の検査箇所２７（検査の例として示す）を通信エリア２５内に位置させる機能を有する。従って、携帯監視装置５をこの通信エリア２５内に位置させると、このパッシブ型の無線ＩＣタグ３は、携帯監視装置５から送信された電磁波によって活動を開始し、予め設定されている固有の識別番号を含む識別信号を無線送信し、携帯監視装置５によってその無線送信された識別信号が受信される。
【００４７】
この様に識別信号を受信する携帯監視装置５は、図３に示すように、ＣＰＵ３１やＲＯＭ３３、ＲＡＭ３５、入力インタフェース３７、出力インタフェース４１、４７、入出力インタフェース３９、４３、４５や時計４９を有する携帯制御装置５１と、出力インタフェース４１に接続されたディスプレイ５３と、入出力インタフェース４３に接続された無線通信ユニット５５と、入出力インタフェース４５に接続された外部記憶装置５７と、メモリカードソケット５９と、メモリーカード６１と、出力インタフェース４７に接続されたスピーカ６３と、入出力インタフェース３９に接続された無線ＩＣタグ読込装置６５と、入力インタフェース３７に接続されたマイク６７と、バンドパスフィルタ６９と、異音ボタン７１と、保全作業完了ボタン７３とを備えている。マイク６７と、入力インタフェース３７との間に入っているバンドパスフィルタ６９は、低音と、高音とを遮断して、打音検査の音を通過させるフィルタ回路である。このバンドパスフィルタ６９は、打音検査の音を主に通過させ、そのほかの会話音や雑音を排除する目的で使われる。これにより、ノイズ分の少ない打音検査の音が記録される。これにより、記録した打音検査の音に基づいて、異常の判断を行う場合に、ノイズによる検査精度の低下を低減することが可能になる。又、ノイズ分が少なくなり、ノイズを記憶することで消費される記憶容量の消耗を低減することが出来て、打音検査の音をより長時間に渡って記憶することが可能になる。
【００４８】
又、無線ＩＣタグ読込装置６５は、ＵＨＦ帯用のアンテナ７５を備え、パッシブ型の無線ＩＣタグ３に向けて、ＵＨＦ帯の電磁波の送信の実行と、受信の実行とを行う。
この様な構成の携帯監視装置５は、アンテナ７５と、無線ＩＣタグ読込装置６５を介して、パッシブ型の無線ＩＣタグ３から送信された識別信号を受信する構成を備えている。
【００４９】
この携帯監視装置５の無線通信ユニット５５は、図４に示す基地監視装置７との間で無線音声通信、無線データ通信などを行うもので、例えば、図示しない公衆無線通信回線経由で、基地監視装置７の無線通信ユニット８１との間で、通信回線を構成する。
【００５０】
図４に示す基地監視装置７は、周知のコンピュータシステム８３で構成され、図示しないインタフェースを介して、無線通信ユニット８１と、異常判定ボタン８５と、外部記憶装置８７と、スピーカ８９とに接続されており、後述する異常判定ソフトウエア９１を備えている。
【００５１】
図５は、携帯監視装置５のＣＰＵ３１によって繰り返し実行される打音処理ルーチンのフローチャート、図６は、打音処理の動作状態の説明図である。
次ぎに、この打音処理を説明する。
【００５２】
先ず、パッシブ型の無線ＩＣタグ３から送信された識別信号の入力を行って（Ｓ１００）、その識別信号の入力があるかを判断し（Ｓ１１０）、識別信号の入力が有るまで、本打音処理ルーチンをそのまま一旦終了する。
【００５３】
ここで、識別信号の入力が有れば（Ｓ１１０）、次ぎにその識別信号から、識別信号に含まれる識別番号を抽出し（Ｓ１２０）、次いで、マイク６７と、バンドパスフィルタ６９とを介して、打音検査の音を入力する処理（打音の入力処理）を行う（Ｓ１３０）。この打音の入力処理は、継続的に実行され、入力した打音が符号化されて、外部記憶装置５７やＲＡＭ３５にデータとして、一時保管される。
【００５４】
次いで、その一時保管された打音検査の音を符号化したデータは、Ｓ１２０で抽出した識別番号のデータと共に、無線通信ユニット５５を利用して、基地監視装置７に送信される（基地監視装置７による処理は、後述する）（Ｓ１４０）と共に、この送信したデータに、更に、時計４９から読み込んだ時刻のデータを加えた打音検査の音のデータと、識別番号のデータとが、メモリーカード６１に記録される（Ｓ１５０）。このＳ１５０の処理後、本打音処理は、一旦終了する。尚、Ｓ１４０の処理で、時計４９から読み込んだ時刻のデータを加えた打音検査の音のデータと、識別番号のデータとを、基地監視装置７に送信するようにしても良い。
【００５５】
以上に説明した打音処理により、軌道点検作業員Ｋに所持された携帯監視装置５がパッシブ型の無線ＩＣタグ３の通信エリア２５内に入っている間、軌道点検作業員Ｋの行う打音検査の音がマイク６７によって捉えられ、バンドパスフィルタ６９によるフィルタリングを経て、ノイズ分が除かれてから、現在の通信エリア２５のパッシブ型の無線ＩＣタグ３の固有の識別番号と共に、基地監視装置７に送信され、かつメモリーカード６１に記憶される。このメモリーカード６１に記憶された識別番号と、打音とは、図示しないコンピュータシステムによって読み出すことが可能であり、この読み出したデータに基づいて、打音検査の状況を振り返ったり、打音判別ソフトウエアで、打音検査が適切に行われているかを再検査したり、検査箇所への立ち寄り漏れがないかを確認したりする用途に、利用する。
【００５６】
これらは、例えば、図６に示すように、具体的に動作する。
軌道点検作業員Ｋが例えば識別番号１の通信エリア２５に入った時点ｔ１で、識別番号１の抽出が行われる。その状態で、軌道点検作業員Ｋがハンマ２１で打音検査を行うと、マイク６７から時点ｔ２や時点ｔ３に示すような打音１が収集される。
【００５７】
軌道点検作業員Ｋが時点ｔ４に示すときに、識別番号１の通信エリア２５から離れると、識別番号１の識別信号の入力がなくなって、識別番号１が抽出されなくなる。この状態では、仮に打音検査が行われても、打音検査の音の入力から、送信、記録までは、実行されない。尚、識別番号１の通信エリア２５から離れても、しばらく（数秒）の間、打音検査の音の入力から、送信、記録までを継続するようにしても良い。
【００５８】
軌道点検作業員Ｋが移動して、時点ｔ５で識別番号２の通信エリア２５に入ると、識別番号２の識別信号が入力され、打音検査の音の入力から、送信、記録までが行われる。
この様な打音検査では、ボルト１５の緩みなどがあると、打音検査の音が例えば、時点ｔ２の打音２に示すように、打音１に示したものと波形が相違する。従って、この打音検査の音のデータを記録し、正常時には出力されない周波数成分などの比率を計測して、異常の有無をコンピュータソフトウエアによって判断することが可能になる。
【００５９】
従って、打音検査の音をメモリーカード６１に記録しておき、正常時の周波数成分の状態を抽出したり、異常時の周波数成分の状態を抽出したり出来るようにすることや、後刻記録した打音検査の音を再生して、異常の再判断を行うことが可能になることは、有用である。
【００６０】
図７は、携帯監視装置５のＣＰＵ３１によって繰り返し実行される異音記録処理ルーチンのフローチャート、図８は、外部記憶装置５７に構成される異音検出データベース９３の説明図、図９は、外部記憶装置５７に構成される保全作業完了データベース９５の説明図である。
【００６１】
図７の異音記録処理は、軌道点検作業員Ｋが打音検査を行った場合に、打音検査の音が異常であると判断した場合に、それを記録に残す処理であって、先ず、携帯監視装置５の表面に設けられている異音ボタン７１の入力を行って（Ｓ２００）、異音ボタン７１の操作が行われたかを判断し（Ｓ２１０）、異音ボタン７１の操作が行われていなければ、異音ボタン７１の操作時に行うＳ２２０ないしＳ２４０の処理を行うことなく、次の処理に移行するルーチンである。
【００６２】
一方、異音ボタン７１の操作が行われていると判断した場合は（Ｓ２１０）、次ぎに図５のＳ１２０で抽出した識別番号を入力する識別番号入力処理（Ｓ２２０）、異音の検出を知らせる異音検出信号と、Ｓ２２０で入力した識別番号とを基地監視装置７に送信する処理（基地監視装置７による処理は後述する）（Ｓ２３０）、Ｓ２２０で入力した識別番号を図８に示すような異音検出データベース９３に記録する識別番号格納処理（Ｓ２４０）を行って、次の保全作業完了ボタン７３入力処理に移行する（Ｓ２５０）。尚、図８に示す異音検出データベース９３では、識別番号１０が記憶されている例が示されている。
【００６３】
このＳ２００ないしＳ２４０の処理により、軌道点検作業員Ｋは、異音ボタン７１を操作するだけで、異音を検出した位置の識別番号を記録することが可能になる。従って、この記録によって、異音を検出した箇所の報告書データをコンピュータで作成することが可能になると共に、その報告書データで労働評価を行うことが可能になり、また、図５のＳ１５０でメモリーカード６１に記録され打音検査の音を再検討したり、コンピュータソフトウエアによる判断処理の精度の向上に役立たせたりすることが可能になる。
【００６４】
この様なＳ２１０ないしＳ２４０の異音ボタン７１の操作に関わる処理の終了後、次ぎに保全作業完了ボタン７３の操作に関わるＳ２５０ないしＳ２８０の処理を説明する。
この保全作業完了ボタン７３の操作に関わる処理は、打音検査の結果、異常があると判断した場合に、ボルト１５を増し締めするなどの保全作業を行って、異常が解消されたことを記録に残す処理であって、先ず、携帯監視装置５の表面に設けられている保全作業完了ボタン７３の入力を行って（Ｓ２５０）、保全作業完了ボタン７３の操作が行われたかを判断し（Ｓ２６０）、保全作業完了ボタン７３の操作が行われていなければ、そのまま本ルーチンを一旦終了する。
【００６５】
一方、保全作業完了ボタン７３の操作が行われていると判断した場合は（Ｓ２６０）、次ぎに保全作業の完了を知らせる保全作業完了信号と、Ｓ２２０で入力した識別番号とを基地監視装置７に送信する処理（基地監視装置７による処理は後述する）（Ｓ２７０）、Ｓ２２０で入力した識別番号を図９に示すような保全作業完了データベース９５に記録する識別番号格納処理（Ｓ２８０）を行って、本ルーチンを一旦終了する。
【００６６】
尚、図９に示す保全作業完了データベース９５では、識別番号１０が記憶されている例が示されている。
このＳ２５０ないしＳ２８０の処理により、軌道点検作業員Ｋは、保全作業完了ボタン７３を操作するだけで、異音を検出し、その箇所を適切な状態に戻す保全作業が完了した位置の識別番号を記録することが可能になる。従って、この記録によって、保全作業を行った箇所の報告書データをコンピュータで作成したり、コンピュータで労働評価を行うことが可能になる。
【００６７】
図１０は、携帯監視装置５のＣＰＵ３１によって繰り返し実行される保全指令受信処理ルーチンのフローチャートである。
この保全指令受信処理では、先ず、詳細を後述する基地監視装置７から無線通信ユニット５５を経由して保全指令信号を受信して、入力する処理を行い（Ｓ３００）、次いで、その保全指令信号の入力が有りかの判断を行う処理を行って（Ｓ３１０）、なければ、本ルーチンをそのまま一旦終了する。
【００６８】
一方、保全指令信号を入力したと判断した場合には（Ｓ３１０）、次ぎに、保全指令受信の報知をディスプレイ５３による画像表示や、スピーカ６３による警報音出力で行って（Ｓ３２０）、保全指令信号に含まれる識別番号、つまり保全指令を受けた識別番号をディスプレイ５３に表示して（Ｓ３３０）、本ルーチンを一旦終了する。
【００６９】
この保全指令受信処理により、図５の打音処理のＳ１４０に基づいて、基地監視装置７が打音検査の音に異常があると判断した場合に、その旨を、携帯監視装置５にリアルタイムで、送信して、知らせることが可能になる。
【００７０】
従って、軌道点検作業員Ｋと、基地監視装置７との連携作業によって、打音検査の音の異常を判断し、打音検査時に、速やかに、保全作業を行うことが可能になる。
図１１は、携帯監視装置５のＣＰＵ３１によって繰り返し実行される打音検査対象指示処理ルーチンのフローチャート、図１２は、外部記憶装置５７に予め記憶されている打音検査順データベース１０１の説明図である。
【００７１】
この打音検査対象指示処理は、軌道点検作業員Ｋが次ぎに検査する識別番号をディスプレイ５３に表示することで、点検漏れを未然に防止したり、効率的な順番で点検を行うことが出来るようにする。
【００７２】
先ず、打音検査順データベース１０１から打音検査順を入力する（Ｓ４００）。例えば、これから検査を行う対象の順路を指示するリスト、例えば、図１２に示す打音検査順データベース１０１のリスト１０３から打音検査順を入力する。ここでは、リスト１０３には、識別番号１、２、３・・・・・・・と言う例が示されている。尚、リスト１０５は、別の検査箇所の順路である。これは、図示しない選択処理で、軌道点検作業員Ｋによって、選択される。
【００７３】
Ｓ４００の処理が行われると、最初は、リスト１０３の先頭の識別番号がディスプレイ５３に表示される。ここでは、識別番号１が表示される。
このＳ４００の処理の後、次ぎにＳ１２０で抽出した識別番号を入力する処理を行って（Ｓ４１０）、その入力した識別番号に該当する識別番号（Ｓ４００によって入力した打音検査順のリストの識別番号）に済み印付け処理を行う（Ｓ４２０）。
【００７４】
ここで、仮に、Ｓ１２０によって抽出した識別番号が識別番号１であれば、リスト１０３の先頭の識別番号１に済み印が付与される。
次いで、打音検査順データの未処理を検索（近い順、上流優先）して（Ｓ４３０）、検索結果の識別番号をディスプレイ５３に表示する次の打音検査識別番号表示処理を実行して（Ｓ４４０）、本打音検査対象指示処理を一旦終了する。
【００７５】
例えば、Ｓ１２０によって抽出した識別番号が識別番号１で、リスト１０３の先頭の識別番号１に済み印が付与され場合は、識別番号２をディスプレイ５３に表示する。
又、Ｓ１２０によって抽出した識別番号が識別番号３で、リスト１０３の先頭の識別番号１のみに済み印が付与されている場合は、識別番号２をディスプレイ５３に表示する。
【００７６】
これにより、打音検査に漏れがなくなり、予め設定されている順路で検査を行うことが可能になる。又、仮に、予め設定されている順番を間違えてしまったとしても、自動的に、漏れている箇所の指示が行われ、検査漏れの解消が速やかに実現される。
【００７７】
図１３は、基地監視装置７のコンピュータシステム８３によって、繰り返し実行される打音外部判定処理ルーチンのフローチャート、図１４は、外部記憶装置８７に構成される端末別データベース１１１の説明図である。この端末別データベース１１１には、端末Ｔ１のデータベース１１３と、端末Ｔ２のデータベース１１５とが例示されている。端末Ｔ１やＴ２は、携帯監視装置５の固有の識別番号を示す。従って、利用されている携帯監視装置５のそれぞれに対して、それぞれ作られる。
【００７８】
図１３の打音外部判定処理は、図５のＳ１４０の処理によって、送信されてきた打音検査の音（打音とのみ記載する場合もある。）＋識別番号のデータを基地監視装置７によって、記録し、監視すると共に、監視人による打音検査の音の聴取検査や異常判定ソフトウエア９１によるコンピュータ異常判断を検査地の軌道点検作業員Ｋと同時に行う。
【００７９】
先ず、打音＋識別番号の受信（接続回線保持）処理を行う（Ｓ５００）。この処理では、識別番号の受信と、打音検査の音を連続的に受信する処理が行われる。又、打音検査の音の受信を連続的に行うために、携帯監視装置５との間のデータの送受がリアルタイムで可能な状態が維持されている。この状態は、携帯監視装置５が接続を切断してきた場合、或いは、基地監視装置７によって、接続を切断する処理が行われた場合に、終了する。
【００８０】
尚、何れの側からも接続の切断は、識別番号の送信受信がなくなる期間に基づいて行われる。例えば、１つの通信エリア２５から出て、新たな通信エリア２５に入らない状態が例えば、１０秒経った時点で、接続が切断されるといった制御が行われる。
【００８１】
Ｓ５００の処理の後、次ぎに、接続回線切断かの判断を行って（Ｓ５１０）、接続回線が切れていなければ、次ぎに、打音検査の音を異常判定（異常判定ソフトウエア９１による自動判定（詳細は図示しないが、周波数成分によって判断する）、又は経験の豊富な異常判定人による処理）する処理を行う（Ｓ５２０）。この異常判定処理は、接続回線が保持されている間、継続的に実行される。尚、この異常判定処理を省略しても良い。
【００８２】
次いで、異常判定ボタン８５が操作された場合に出力される異常判定信号、或いは異常判定ソフトウエア９１が異常であることを判断した場合に出力される異常判定信号の入力を行って（Ｓ５３０）、異常判定信号が入力されなければ（Ｓ５４０）、そのまま一旦終了し、異常判定信号が入力されたら（Ｓ５４０）、無線通信ユニット８１を経由して、携帯監視装置５に保全指令信号と、この保全指令信号の対象の識別番号とを送信する処理を実行後（Ｓ５５０）、本ルーチンを一旦終了する。このＳ５５０の処理により送信された保全指令信号＋識別番号は、図１０のＳ３００の保線指令信号の入力処理によって、受信され、軌道点検作業員Ｋに保全作業を行うことを要請する指令として、伝達される。
【００８３】
この様なＳ５００ないしＳ５５０の処理が行われている状態で、接続回線が切断されると（Ｓ５１０）、Ｓ５００の処理によって受信し、外部記憶装置８７に一時的に格納されていた打音検査の音のデータと、識別番号のデータとを、携帯監視装置５の固有の識別番号毎に打音検査の音と識別番号のデータを記録する、図１４に示す端末別データベース１１１に格納する処理を行って（Ｓ５６０）、本ルーチンを一旦終了する。このＳ５６０の処理により、例えば、端末Ｔ１と識別される携帯監視装置５から識別番号１の打音検査の音データが送られてきた場合には、端末Ｔ１のデータベース１１３に識別番号１として送信されてきた打音検査の音のデータが格納される。これにより、携帯監視装置５毎の作業状態の評価が可能になる。又、打音検査の音データが、携帯監視装置５毎で、かつ識別番号毎に分類可能な状態で記録されており、軌道点検作業員Ｋの業務評価の参考データを得る目的での利用が可能になる。又、軌道点検作業員Ｋの打音検査による異常の評価と、記録されている打音検査の音の再評価とを比較し、軌道作業員の技能の向上に役立てたり、異常判定ソフトウエア９１の機能の向上や、判定精度の向上に役立てたりすることが可能になる。
【００８４】
尚、Ｓ５６０の処理で、携帯監視装置５から時刻データが送信されてきた場合には、その時刻のデータを端末別データベース１１１に記録する。又、携帯監視装置５から時刻データが送信されて来なかった場合でも、識別番号のデータを受信した時刻を図示しない時計から読み込んで、その時刻のデータを端末別データベース１１１に記録するようにしても良い。
【００８５】
尚、本発明は、上記の軌道点検作業監視装置１の構成に限定されるものではなく、本発明の要旨を変更しない範囲で様々な態様の実行が可能である。
以上に説明した軌道点検作業員監視装置１は、予め点検箇所として決めておいた検査箇所２７に居ることを特定する識別情報と、その点検時の点検の状態の確認が可能な打音検査の音とを点検記録としてメモリーカード６１に記録し残すことが可能になることから、このメモリーカード６１の記録内容を後刻、読み出して、精査することで、軌道点検作業員Ｋによる点検作業が点検漏れなく、かつ点検誤りもなく、適切に実行されていることを調べ、保証することが可能になって、軌道点検作業品質を向上することが出来るという極めて優れた効果を奏する。
【００８６】
しかも、その点検の結果の異音検出データベース９３や保全作業完了データベース９５を、ボルトの締め付け不良や緩みなどを増し締めする保全作業の有無や経過を監視するための、基本データとして活用することが可能になって、保全作業の品質向上を図ることが可能になると言う極めて優れた効果を奏する。
【００８７】
又、予め検査箇所２７として決めておいた検査箇所２７に居ることを特定する識別情報と、その点検時の点検の状態の確認が可能な打音検査の音とを無線通信によって基地監視装置７に無線送信し、参照することが可能になることから、その識別情報と、打音検査の音とをリアルタイムで、モニタし、点検作業に助言を与えたり、軌道点検作業員Ｋの労務管理に役立たせたり、点検作業の品質向上に役立たせたりする用途が可能になるという極めて優れた効果を奏する。
【００８８】
しかも、予め検査箇所２７として決めておいた検査箇所２７に居ることを特定する識別情報と、その点検時の点検の状態の確認が可能な打音検査の音とを基地監視装置７に無線送信し、外部記憶装置８７の端末別データベース１１１に、検索可能な状態で、記録することが可能になることから、その識別情報と、打音検査の音とをモニタ検査して、リアルタイムで、検査作業に助言を与えたり、記録したデータを分析して、労務管理に役立たせたり、点検作業の品質向上に役立たせたりする用途が可能になるという極めて優れ効果を奏する。
【００８９】
予め検査箇所２７として決めておいた検査箇所２７に居ることを特定する識別情報と、その点検時の点検の状態の確認が可能な打音検査の音と、これら識別情報の入力時や打音検査の音の検出時を推測することが可能な時刻とを点検記録としてメモリーカード６１に記録し残すことが可能になることから、例えば、作業能率の判断に利用して、労務管理により役立たせることが可能になるという効果を奏する。
【００９０】
予め検査箇所２７として決めておいた検査箇所２７に居ることを特定する識別情報と、その点検時の点検の状態の確認が可能な打音検査の音と、これら識別情報の入力時や打音検査の音の検出時を推測することが可能な時刻とを無線通信によって基地監視装置７に伝送し、点検記録として外部記録装置８７に記録し残すこと、或いは、識別情報の入力時や打音検査の音の検出時を推測することが可能な時刻を、無線通信によって受信した識別情報と、打音検査の音とに付加して、外部記録装置８７に記録することが可能になることから、例えば、リアルタイムで、作業の迅速化を指示したり、後日、作業能率の判断に利用して、労務管理により役立たせることが可能になるという効果を奏する。
【００９１】
基地監視装置７が、例えば、ボルトが緩んでいる場合にだけ発生する周波数成分だけを通過させる狭帯域通過ディジタルフィルタを有する異常判定ソフトウエア９１利用して、ボルトの緩みを自動的に、判断することが可能になり、その異常判定結果を携帯監視装置５に送信して、軌道点検作業員Ｋに知らせ、再度の点検や保全作業を行わせることが可能になって、点検の品質が向上されるという効果を奏する。
【００９２】
軌道点検作業員監視装置１は、バンドパスフィルタ６９によって、打音検査の音以外のノイズ分を除いて記憶することから、メモリーカード６１の記憶容量を有効に活用して、多くの検査箇所２７の打音検査の音の記憶が可能になるという効果を奏する。
【００９３】
軌道点検作業員監視装置１は、検査箇所２７に安価で、小型で、耐候性が高く、内蔵電池も必要なく、しかも数メートル程度の範囲まで利用可能な、パッシブ型のＵＨＦ帯の無線ＩＣタグ３を利用することから、膨大な数で、かつ厳しい自然環境の検査箇所２７の全てから、検査箇所２７を示す識別信号を出力させることが可能になるという効果を奏する。
【００９４】
次に特許請求の範囲の構成と、発明の実施の形態との対応を説明する。
請求項１の車両が運行する軌道は、軌道Ｒ、軌道点検作業員は、軌道点検作業員Ｋ、軌道点検作業員監視装置は、軌道点検作業員監視装置１、点検箇所は、検査箇所２７、点検箇所識別情報出力手段は、無線ＩＣタグ３、点検箇所識別情報入力手段は、アンテナ７５と、無線ＩＣタグ読込装置６５と、図５のＳ１００の処理、点検作業音検出手段は、マイク６７と、バンドパスフィルタ６９と、Ｓ１３０の処理、点検作業音記憶手段は、Ｓ１５０の処理と、メモリーカード６１とにそれぞれ対応する。
【００９５】
以下、同一内容の記載は省略する。
請求項２の点検作業音無線送信手段は、Ｓ１４０の処理と、無線通信ユニット５５、点検作業音無線受信手段は、無線通信ユニット８１と、Ｓ５００の処理とがそれぞれ対応する。
【００９６】
請求項３の点検作業音受信記憶手段は、Ｓ５６０の処理と、外部記憶装置８７とが対応する。
請求項４の点検作業音記憶手段は、Ｓ１５０の処理と、メモリーカード６１とが対応する。
【００９７】
請求項５の点検作業音受信記憶手段は、Ｓ５６０の処理、及び関連する説明の箇所と、外部記憶装置８７とが対応する。
請求項６の狭帯域通過フィルタは、異常判定ソフトウエア９１の説明の記載が対応する。
【００９８】
請求項７の点検作業音帯域通過フィルタは、バンドパスフィルタ６９、点検作業音記憶手段は、図５の打音処理の記載内容が対応する。
請求項８の無線ＩＣタグは、無線ＩＣタグ３、無線ＩＣタグの読み取り器は、無線ＩＣタグ読込装置６５が対応する。
【図面の簡単な説明】
【００９９】
【図１】軌道点検作業員監視装置１の使用状態の説明図である。
【図２】軌道点検作業員監視装置１の無線ＩＣタグ３の設置状態の説明図である。
【図３】携帯監視装置５のブロック図である。
【図４】基地監視装置７のブロック図である。
【図５】帯監視装置５のＣＰＵ３１によって繰り返し実行される打音処理ルーチンのフローチャートである。
【図６】打音処理の動作状態の説明図である。
【図７】携帯監視装置５のＣＰＵ３１によって繰り返し実行される異音記録処理ルーチンのフローチャートである。
【図８】外部記憶装置５７に構成される異音検出データベース９３の説明図である。
【図９】外部記憶装置５７に構成される保全作業完了データベース９５の説明図であるである。
【図１０】携帯監視装置５のＣＰＵ３１によって繰り返し実行される保全指令受信処理ルーチンのフローチャートである。
【図１１】携帯監視装置５のＣＰＵ３１によって繰り返し実行される打音検査対象指示処理ルーチンのフローチャートである。
【図１２】外部記憶装置５７に予め記憶されている打音検査順データベース１０１の説明図である。
【図１３】基地監視装置７のコンピュータシステム８３によって、繰り返し実行される打音外部判定処理ルーチンのフローチャートである。
【図１４】外部記憶装置８７に構成される端末別データベース１１１の説明図である。
【符号の説明】
【０１００】
１…軌道点検作業員監視装置、３…無線ＩＣタグ、５…携帯監視装置、
７…基地監視装置、９…レール、１３…線路、
１５…ボルト、１７…分岐機、１９…転轍機、
２１…ハンマ、２３…検査対象機器、２５…通信エリア、
２７…検査箇所、３７…入力インタフェース、３９、４３、４５…入出力インタフェース、
４１、４１…出力インタフェース、４９…時計、５１…携帯制御装置、
５３…ディスプレイ、５５…無線通信ユニット、５７…外部記憶装置、
５９…メモリカードソケット、６１…メモリーカード、６３…スピーカ、
６５…無線ＩＣタグ読込装置、６７…マイク、６９…バンドパスフィルタ、
７１…異音ボタン、７３…保全作業完了ボタン、７５…アンテナ、
８１…無線通信ユニット、８３…コンピュータシステム、８５…異常判定ボタン、
８７…外部記憶装置、８９…スピーカ、９１…異常判定ソフトウエア、
９３…異音検出データベース、９５…保全作業完了データベース、
１０１…打音検査順データベース、１０３、１０５…リスト、
１１１…端末別データベース、１１３、１１５…データベース、
Ｋ…軌道点検作業員、Ｒ…軌道
【図１】
2006273265.tif 000003
【図２】
2006273265.tif 000004
【図３】
2006273265.tif 000005
【図４】
2006273265.tif 000006
【図５】
2006273265.tif 000007
【図６】
2006273265.tif 000008
【図７】
2006273265.tif 000009
【図８】
2006273265.tif 000010
【図９】
2006273265.tif 000011
【図１０】
2006273265.tif 000012
【図１１】
2006273265.tif 000013
【図１２】
2006273265.tif 000014
【図１３】
2006273265.tif 000015
【図１４】
2006273265.tif 000016